(57)【要約】【課題】蛍光灯に比べて灯具の取り付け・交換・清掃が容易なＬＥＤ照明器具を提供する。【解決手段】ＬＥＤ照明器具１００は、ＬＥＤ灯具１４０と、ＬＥＤ灯具１４０に商用交流電力または直流電力を供給するとともにその両端を保持する保持部（左保持部１２０、右保持部１３０）を有する保持具１１０よりなり、ＬＥＤ灯具１４０は、保持具１１０に対して、通常の保持状態、分離状態の他、ＬＥＤ灯具１４０の一方の端部（左端部１５０）を保持具１１０（左保持部１２０）で保持した状態で他方の端部（プラグ１６０）を保持具１１０から外して保持できる半保持状態とできる構成とする。【選択図】図１
2010170742.tif 000002
【特許請求の範囲】
【請求項１】
ＬＥＤ素子を備えたＬＥＤ灯具と、少なくとも前記ＬＥＤ灯具に電力を供給するとともに前記ＬＥＤ灯具を保持する保持部を有する保持具とを備えたＬＥＤ照明器具であって、
前記ＬＥＤ灯具と前記保持具の接続状態は、前記ＬＥＤ灯具の両端部の保持箇所が前記保持具の保持部に保持された保持状態、前記ＬＥＤ灯具の一方の端部の保持箇所が前記保持具の保持部に保持された半保持状態、前記ＬＥＤ灯具と前記保持具が完全に分離された分離状態をとることが可能である、ＬＥＤ照明器具。
【請求項２】
前記ＬＥＤ灯具は、前記半保持状態において、自重で前記保持部から垂れ下がるように保持されることが可能である、請求項１に記載のＬＥＤ照明器具。
【請求項３】
前記ＬＥＤ灯具は、前記一方の端部の保持箇所に電源接続部を有し、他方の端部の保持箇所には電源接続部を備えない、請求項１に記載のＬＥＤ照明器具。
【請求項４】
前記電源接続部は、商用交流電源用コンセントと互換性のある少なくとも２本の接続端子であり、該接続端子から商用交流電力が直接前記ＬＥＤ灯具に供給される、請求項３に記載のＬＥＤ照明器具。
【請求項５】
前記電源接続部は、前記保持具の前記保持部に対する保持箇所を兼ねる、請求項３に記載のＬＥＤ照明器具。
【請求項６】
前記保持部は、前記保持具の保持具天板に対して回転可能である、請求項１に記載のＬＥＤ照明器具。
【請求項７】
前記ＬＥＤ灯具は、前記ＬＥＤ素子を駆動する駆動回路を含む、請求項１に記載のＬＥＤ照明器具。
【請求項８】
前記駆動回路は、商用交流電力を、時間平均した場合に直流成分を有する電流に変換する、請求項７に記載のＬＥＤ照明器具。
【請求項９】
前記ＬＥＤ灯具は、保管時において、その外形に外接する仮想四角柱を延長した部分の内部に収まる形状とすることが可能である、請求項１に記載のＬＥＤ照明器具。
【請求項１０】
前記ＬＥＤ灯具のＬＥＤ素子搭載部の裏面が、前記保持具の保持具天板に接触している、請求項１に記載のＬＥＤ照明器具。
【請求項１１】
前記ＬＥＤ素子搭載部の裏面が、磁石の吸着力によって前記保持具天板に接触している、請求項１０に記載のＬＥＤ照明器具。
【発明の詳細な説明】
【技術分野】
【０００１】
本発明は、着脱可能なＬＥＤ灯具とその保持具とを備えたＬＥＤ照明器具に関する。
【背景技術】
【０００２】
ＬＥＤ（発光ダイオード）は、近年の効率向上に伴い、電球あるいは蛍光灯よりも省エネルギーの光源として、照明器具の主役となることが期待されている。
【０００３】
ＬＥＤ素子を用いたＬＥＤ照明器具の形状として、従来の電球用あるいは蛍光灯用の設備を活用するという観点から、電球型ＬＥＤ（例えば、特許文献１参照。）あるいは蛍光灯型ＬＥＤ（例えば、特許文献２参照。）が提案されている。
【０００４】
電球型ＬＥＤは、商用交流電力が供給されている電球用ソケット（スクリューマウント）に着脱することができるため、現在の電球を容易に置き換えることができる。蛍光灯型ＬＥＤは、現在の蛍光灯保持具に取り付け可能なように、両端にそれぞれ２本のピンが配され、このピンから電源を入力するようになっている。
【０００５】
蛍光灯保持具には、商用交流電力は直接供給されておらず、蛍光灯点灯回路が介されている。特許文献２の蛍光灯型ＬＥＤは、グロースタータ式蛍光灯器具に対してはグロースタータへの大電流（過電流）の流入を防止し、インバータ式蛍光灯器具に対しては口金の２つの端子ピン間での電流検知を可能とし、ラピッドスタート式蛍光灯器具に対しても支障が生じず、何れの蛍光灯器具にも対応することが出来るよう工夫がなされている。
【０００６】
また、特許文献３にはＤＣで駆動される長尺状のＬＥＤの発光体からなる照明部と、その両端にコンセント部を有するＬＥＤ照明装置が開示されている。ＡＣ電力をＤＣ電流に変換する部分を天井部分に設置することにより、ＬＥＤの発光体からなる照明部の軽量化を図っている。
【先行技術文献】
【特許文献】
【０００７】
【特許文献１】特表２００２−５２５８１４号公報
【特許文献２】特開２００８−２７７１８８号公報
【特許文献３】特開２００８−４７３７７号公報
【発明の概要】
【発明が解決しようとする課題】
【０００８】
電球型ＬＥＤは、電球用ソケットに接続されるので、商用交流電力（国によって異なるが一般にＡＣ１００Ｖ〜２４０Ｖ電源）がそのままＬＥＤ照明器具に供給される。それに対し、蛍光灯型ＬＥＤは、蛍光灯用の端子に接続されるので、その供給電力は、蛍光灯を点灯するための点灯回路、例えば安定器・インバータなどを介して入力される。
【０００９】
蛍光灯の点灯回路には上述の通りさまざまな方式があるにもかかわらず、ピン互換性のある蛍光灯型ＬＥＤを用いると、点灯回路が違うことによる安全面でのトラブルや、これらの回路を経由することによるエネルギーロスが生じ、また特許文献２の場合にはどの方式にも対応させるための余分な機構が必要となる。
【００１０】
一方、現在照明器具として蛍光灯が広く用いられており、それらの設備やノウハウを生かしつつＬＥＤ照明を普及させる上では、ＬＥＤ照明器具はなるべく蛍光灯に近い形状であることが好ましい。特に、蛍光灯における利点である、交換可能である点、着脱可能であって取り外して清掃できる点は、ＬＥＤ照明においても受けつぐべき利点であると考えられる。
【００１１】
本発明の目的は、着脱可能であって取り外して清掃でき、また交換可能であるという従来の蛍光灯の利点をさらに改善し、一般に高い天井に設置する照明器具の着脱及び清掃の容易性を向上させたＬＥＤ照明器具を提供することを目的とする。
【課題を解決するための手段】
【００１２】
本発明に係るＬＥＤ照明器具は、ＬＥＤ素子を備えたＬＥＤ灯具と、少なくとも前記ＬＥＤ灯具に電力を供給するとともに前記ＬＥＤ灯具を保持する保持部を有する保持具とを備えたＬＥＤ照明器具であって、前記ＬＥＤ灯具と前記保持具の接続状態は、前記ＬＥＤ灯具の両端部の保持箇所が前記保持具の保持部に保持された保持状態、前記ＬＥＤ灯具の一方の端部の保持箇所が前記保持具の保持部に保持された半保持状態、前記ＬＥＤ灯具と前記保持具が完全に分離された分離状態をとることが可能である。
【００１３】
本発明に係るＬＥＤ照明器具では、前記ＬＥＤ灯具は、前記半保持状態において、自重で前記保持部から垂れ下がるように保持されることが可能であることが好ましい。
【００１４】
本発明に係るＬＥＤ照明器具では、前記ＬＥＤ灯具は、前記一方の端部の保持箇所に電源接続部を有し、他方の端部の保持箇所には電源接続部を備えないことが好ましい。
【００１５】
本発明に係るＬＥＤ照明器具では、前記電源接続部は、商用交流電源用コンセントと互換性のある少なくとも２本の接続端子であり、該接続端子から商用交流電力が直接前記ＬＥＤ灯具に供給されることが好ましい。
【００１６】
本発明に係るＬＥＤ照明器具では、前記電源接続部は、前記保持具の前記保持部に対する保持箇所を兼ねることが好ましい。
【００１７】
本発明に係るＬＥＤ照明器具では、前記保持部は、前記保持具の保持具天板に対して回転可能であることが好ましい。
【００１８】
本発明に係るＬＥＤ照明器具では、前記ＬＥＤ灯具は、前記ＬＥＤ素子を駆動する駆動回路を含むことが好ましい。
【００１９】
本発明に係るＬＥＤ照明器具では、前記駆動回路は、商用交流電力を、時間平均した場合に直流成分を有する電流に変換することが好ましい。
【００２０】
本発明に係るＬＥＤ照明器具では、前記ＬＥＤ灯具は、保管時において、その外形に外接する仮想四角柱を延長した部分の内部に収まる形状とすることが可能であることが好ましい。
【００２１】
本発明に係るＬＥＤ照明器具では、前記ＬＥＤ灯具のＬＥＤ素子搭載部の裏面が、前記保持具の保持具天板に接触していることが好ましい。
【００２２】
本発明に係るＬＥＤ照明器具では、前記ＬＥＤ素子搭載部の裏面が、磁石の吸着力によって前記保持具天板に接触していることが好ましい。
【発明の効果】
【００２３】
本発明によれば、ＬＥＤ照明器具を、ＬＥＤ素子を備えたＬＥＤ灯具と、それを両端で保持する保持具で構成する。ＬＥＤ灯具と保持具とは、通常の保持状態、完全に分離した分離状態の他、ＬＥＤ灯具の一方の端部を保持具に保持した状態で他方の端部を保持具からはずした半保持状態とすることができる。半保持状態においては、保持を行っている一方の端部がＬＥＤ灯具を吊り下げる状態となり、他方の端部が重力により垂れ下がるため、一般に天井など高所に設置されるＬＥＤ灯具が作業のしやすい高さにまで下がることになる。従って、半保持状態においては清掃が容易であり、またその状態でＬＥＤ灯具を作業者が握ることができるため交換も容易である。そのため、ＬＥＤ灯具が天井など高所に配されていても、従来のように作業者が脚立に乗ることなく清掃・交換することができる。
【図面の簡単な説明】
【００２４】
【図１】実施の形態１のＬＥＤ照明器具の正面図である。
【図２】実施の形態１のＬＥＤ照明器具の下面図である。
【図３】実施の形態１のＬＥＤ照明器具の側面を模式的に示し、（ａ）は左側面図、（ｂ）は右側面図である。
【図４】実施の形態１のＬＥＤ照明器具の取り外し状態を説明する説明図であり、（ａ）は正面図、（ｂ）は半保持状態を示す正面図である。
【図５】実施の形態１のＬＥＤ照明器具のＬＥＤ灯具を取り外すときの作業棒とＬＥＤ灯具との相関関係を模式的に示す右側面図である。
【図６】実施の形態１のＬＥＤ照明器具の変形例を示す説明図であり、（ａ）は下面図、（ｂ）は右側面図である。
【図７】実施の形態２のＬＥＤ照明器具の正面図である。
【図８】実施の形態２のＬＥＤ照明器具の下面図である。
【図９】実施の形態２のＬＥＤ照明器具のＬＥＤ灯具を取り付けたときの状態を模式的に示す説明図であり、（ａ）は左保持バネでの保持状態を示す左側面図、（ｂ）は右保持バネでの保持状態を示す右側面図である。
【図１０】実施の形態２のＬＥＤ照明器具の変形例を模式的に示す説明図であり、（ａ）は左保持バネでの保持状態を示す左側面図、（ｂ）は右保持バネでの保持状態を示す右側面図である。
【図１１】実施の形態２のＬＥＤ照明器具の半保持状態を示す正面図である。
【図１２】実施の形態３のＬＥＤ照明器具の正面図である。
【図１３】実施の形態３のＬＥＤ照明器具の下面図である。
【図１４】実施の形態３のＬＥＤ照明器具の右側面を模式的に示す右側面図である。
【図１５】実施の形態３のＬＥＤ照明器具の取り付け状態を模式的に示す正面図である。
【図１６】実施の形態３のＬＥＤ照明器具の変形例を模式的に示す説明図であり、（ａ）はＬＥＤ灯具の正面図、（ｂ）は右側面図である。
【図１７】実施の形態４のＬＥＤ照明器具の半保持状態を模式的に示す説明図であり、（ａ）は半保持状態を示す正面図、（ｂ）は取り付け途中の状態を示す正面図、（ｃ）は保持状態を示す正面図である。
【図１８】実施の形態４のＬＥＤ照明器具の右保持部での保持状態を模式的に示す右側面図である。
【図１９】実施の形態４のＬＥＤ照明器具の左保持部での保持状態を模式的に示す説明図であり、（ａ）は保持状態を示す左側面図、（ｂ）は挿入途中の状態を示す左側面図である。
【図２０】実施の形態５のＬＥＤ照明器具の半保持状態を模式的に示す説明図であり、（ａ）は半保持状態を示す正面図、（ｂ）は左端部を押し込む途中の状態を示す正面図、（ｃ）は保持状態を示す正面図である。
【図２１】実施の形態５のＬＥＤ照明器具の右側面を模式的に示す右側面図である。
【図２２】実施の形態６のＬＥＤ照明器具の正面図である。
【図２３】実施の形態６のＬＥＤ照明器具の下面図である。
【図２４】実施の形態６のＬＥＤ照明器具の右側面図である。
【図２５】実施の形態６のＬＥＤ照明器具の変形例を示す下面図である。
【発明を実施するための形態】
【００２５】
＜実施の形態１＞
（ＬＥＤ灯具の保持状態及び半保持状態）
本実施の形態に係るＬＥＤ照明器具は、ＬＥＤ素子を用いたＬＥＤ灯具では、従来の蛍光管に比べて電源接続用プラグを備える位置の制約が少ない点に着目してなされたものであって、一方の端部に電源接続用プラグ兼保持箇所を備えるとともに他方の端部に保持箇所を備え、半保持状態を実現するＬＥＤ灯具を備えたＬＥＤ照明器具を提供する。
【００２６】
実施の形態１のＬＥＤ照明器具１００を、図１から図６に基づいて説明する。図１は、通常の使用状態（保持状態）におけるＬＥＤ照明器具１００の正面図、図２は、通常の使用状態（保持状態）におけるＬＥＤ照明器具１００の下面図である。本実施の形態ではＬＥＤ照明器具１００が人間の通常の身長よりも高い天井に略水平に取り付けられている状態を想定している。ただし、天井が傾斜している場合に天井に沿って斜めに取り付けられてもよく、街路灯のように照明器具取り付け用の柱から離れた部分を照射するために若干傾けて取り付けられてもよい。
【００２７】
図１に示すように、ＬＥＤ照明器具１００は、大きく分けて保持具１１０とＬＥＤ灯具１４０よりなる。保持具１１０は、保持具天板１１１の左に左保持部１２０（左保持体１２０ｊ、左保持留め具１２１、１２２）、保持具天板１１１の右に右保持部１３０を備え、ＬＥＤ灯具１４０への電力供給は片側から、すなわち右保持部１３０に接続されたプラグ１６０からなされるように構成されている。
【００２８】
また、右保持部１３０には、リリースボタン１３７が配置されている。ベース部１４６の両端には、左補強部１４１、右補強部１４２が連結してある。左補強部１４１には、左端部１５０が配置されている。ＬＥＤ素子１４５が実装されたベース部１４６は、ＬＥＤ素子１４５を駆動する駆動回路１４７を内蔵している。ＬＥＤ灯具１４０は、外径接線１７０の範囲内を保護するカバー１４８を有する。
【００２９】
上述したとおり、ＬＥＤ灯具１４０には、ベース部１４６に複数のＬＥＤ素子１４５が取り付けられている。ＬＥＤ灯具１４０の詳細については後述する。
【００３０】
（左保持部）
ＬＥＤ灯具１４０の左端部１５０（端部）を保持する左保持部１２０は、図１に示すように、Ｊ字状形状の左保持体１２０ｊ、及びＪ字状形状の開口を閉じるように配置された左保持留め具１２１、１２２で構成されており、左保持留め具１２１は左保持留め具１２２を支点にしてバネの力により左保持体１２０ｊに圧着されている。ＬＥＤ灯具１４０の着脱時には、左保持留め具１２１を押し込んで左保持体１２０ｊと左保持留め具１２２の間に開口を作り、保持箇所（端部）である左端部１５０をはずす。左端部１５０は図２に示すようにループ状になっている。
【００３１】
なお、左保持留め具１２１、１２２は振動等があってもＬＥＤ灯具１４０が左保持部１２０から脱落しないようにする働きを有しているが、左保持体１２０ｊと保持具天板１１１の距離を最小限にすることにより、脱落の危険性を除き、左保持体１２０ｊだけで左保持部１２０を構成することもできる。
【００３２】
図３は、実施の形態１のＬＥＤ照明器具１００の側面を示す。図３（ａ）はＬＥＤ照明器具１００の保持状態における左側面図であって、ＬＥＤ灯具１４０の左端部１５０の保持状態を示している。左保持部１２０はループ状の左端部１５０が掛けられるような形状となっている。これによってＬＥＤ灯具１４０はその自重により左保持部１２０に保持される。
【００３３】
（右保持部）
図３（ｂ）は、ＬＥＤ照明器具１００の保持状態における右側面図であって、ＬＥＤ灯具１４０の右端部（端部）の保持箇所であるプラグ１６０の保持状態を示している。保持具天板１１１に連結された右保持部１３０は下（床面側）からプラグ１６０が挿入できるようプラグ挿入口１３６が設けられており、またその内部にはスプリング機構があって挿入されたプラグ１６０を強く圧着・保持する。
【００３４】
プラグ１６０には、プラグ挿入口１３６を介して、蛍光灯の点灯に必要であった回路等を介さずに、商用交流電力が直接供給されるため、回路による電力ロスがなく、灯具が回路に適合しないという問題もない。つまり、プラグ１６０は、電源接続部として機能し、商用交流電源用コンセントと互換性を持たせた少なくとも２本の接続端子で構成される。
【００３５】
（ＬＥＤ灯具の取り外し）
図４（ａ）は、ＬＥＤ灯具１４０を保持具１１０から取り外す作業を示す正面図である。図５は、ＬＥＤ灯具１４０の取り外しを行うときの作業棒１８１とＬＥＤ灯具１４０との相関関係を模式的に示す右側面図である。
【００３６】
作業者１８０は作業棒１８１の作業棒先端１８２をＬＥＤ灯具１４０の右端に、図５で示すように掛けて、リリースボタン１３７を押す（図４（ａ）の白抜き矢印参照）。これにより、プラグ１６０を固定していたプラグ挿入口１３６内部のスプリング機構が緩まり（図５の白抜き矢印参照）、プラグ１６０がプラグ挿入口１３６から取り外される。
【００３７】
プラグ１６０を外し、作業棒１８１を外した場合に、ＬＥＤ灯具１４０を半保持状態とすることができる。半保持状態とは、交換・清掃等に要する程度の短時間であれば、作業者が支持することなく片側の保持部（左保持部１２０）だけでＬＥＤ灯具１４０が安全に保持される状態をいう。この半保持状態を図４（ｂ）に示す。この状態では、ＬＥＤ灯具１４０の左端部１５０が左保持部１２０（左保持体１２０ｊ）に掛けられ（回転可能に保持され）、左保持部１２０（左保持体１２０ｊ）を支点にして自重で略垂直に垂れ下がっている。従って、作業者１８０はこの半保持状態で脚立等に乗ることなく容易に清掃、取り付け・交換作業を行うことができる。
【００３８】
（ＬＥＤ灯具）
ＬＥＤ灯具１４０は、図１および図２に示したように、ベース部１４６に複数のＬＥＤ素子１４５が取り付けられたものである。ＬＥＤ素子１４５は、ＬＥＤ素子１４５を保護し、必要に応じて配光を制御するため、透明又は半透明のカバー１４８で覆われている。カバー１４８はレンズまたはプリズムの機能を兼ねるものであってもよい。ベース部１４６の両端につながる左補強部１４１、右補強部１４２は、補強強度を向上させ、カバー１４８の保持を容易にするため、円柱状になっている。
【００３９】
ＬＥＤ素子１４５の配列は、図２では２列に配列されているが、１列あるいは３列以上であってもよく、列状以外の配置（例えばジグザグ配置）であってもよい。また、ＬＥＤ素子１４５を、凸部を設けたベース部の斜面に取り付けて照射光の範囲を広げたり、反射性の保持具天板１１１に設置して光を反射させるようにすることができる。
【００４０】
ＬＥＤ灯具１４０の長さは例えば１１９８ｍｍ、管径は例えば２５ｍｍである（Ｈｆ３２Ｗ型蛍光管と同じ）。ＬＥＤ灯具１４０は、外径接線１７０（図１、図２参照）の内側に全ての機構が収まるようになっており、従来の蛍光管と同様、保管スペースを取らないようになっている。
【００４１】
ＬＥＤ素子１４５を取り付けてあるベース部１４６の内部には、ＬＥＤ素子１４５を駆動する駆動回路１４７（外側からは見えず）が搭載されている。駆動回路１４７は、プラグ１６０から供給された商用交流電力を、ＬＥＤ素子１４５の駆動に適した直流、ＰＷＭ（パルス幅変調）あるいは半波整流を基にした駆動電流、すなわち時間平均した場合に直流成分を有する電流に変換する。
【００４２】
また、ＬＥＤ素子１４５のコントロールのため、必要に応じて、ＬＥＤの明るさを調整する調光回路、人間を検知するセンサ回路、周囲の明るさに応じてＬＥＤの明るさを調整するための光センサ、リモコン受光ユニット、ＬＥＤ素子１４５を用いた光照明通信用回路、電力線搬送通信（Ｐｏｗｅｒ  Ｌｉｎｅ  Ｃｏｍｍｕｎｉｃａｔｉｏｎ）回路を搭載することもできる。
【００４３】
ＬＥＤ素子１４５の寿命は従来の電球や蛍光灯に比べてきわめて長く、例えば４万時間（１日８時間点灯時１３．７年、常時点灯時４．６年）であるが、大電力を用いる駆動回路１４７の安全上の保証寿命も例えば４万時間（実動作）あるいは１０年（経年劣化寿命）程度であるため、ＬＥＤ素子１４５と駆動回路１４７をＬＥＤ灯具１４０に一体化することにより、同時に交換できるというメリットがある。
【００４４】
（ＬＥＤ素子）
ＬＥＤ素子１４５としては、青色ＬＥＤチップが１つのパッケージに１個または数個配置され、青色ＬＥＤチップが発する光によって励起されて緑色、赤色の光を発する蛍光体を混ぜた樹脂によって樹脂封止されたものを用いた。ＬＥＤ素子１４５として、青色ＬＥＤ、緑色ＬＥＤ，赤色ＬＥＤチップが組み合わさったもの（マルチカラーＬＥＤ）を用いることもでき、その場合には、照明色を変化させることもできるため高付加価値のＬＥＤ照明器具になる。
【００４５】
また、青色ＬＥＤと黄色蛍光体の組合せにしてもよく、この場合は黄色に対する人の視感度が高いため高輝度が得られ、演色性を要求しない屋外等の照明に適している。
【００４６】
蛍光体としては、例えばＢＯＳＥ（Ｂａ、Ｏ、Ｓｒ、Ｓｉ、Ｅｕ）、ＳＯＳＥ（Ｓｒ、Ｂａ、Ｓｉ、Ｏ、Ｅｕ）、ＹＡＧ（Ｃｅ賦活イットリウム・アルミニウム・ガーネット）、αサイアロン（（Ｃａ）、Ｓｉ、Ａｌ、Ｏ、Ｎ、Ｅｕ）、βサイアロン（Ｓｉ、Ａｌ、Ｏ、Ｎ、Ｅｕ）、ＣＡＳＮ（ＣａＡｌＳｉＮ３：Ｅｕ）等を好適に用いることができる。
【００４７】
（実施の形態１の変形例）
図６（ａ）は、ＬＥＤ灯具１４０よりも幅広のＬＥＤ灯具１４０Ｂを用いた場合の下面図である。図６（ｂ）は、右側面図である。基本的な構成は、図１、図２に示したＬＥＤ照明器具１００、ＬＥＤ灯具１４０と同様であり、概略を示す。
【００４８】
ＬＥＤ照明器具１００Ｂは、保持具１１０Ｂ、保持具天板１１１Ｂ、左保持部１２０Ｂ、右保持部１３０を備える。また、ＬＥＤ灯具１４０Ｂは、左補強部１４１Ｂ、右補強部１４２Ｂ、左端部１５０Ｂ、プラグ１６０を備える。
【００４９】
保持箇所である左端部１５０Ｂ及び左保持部１２０Ｂの幅方向での長さが長くなっている。ＬＥＤ灯具１４０Ｂの正面形状は図１と同じであるが、側面形状は図６（ｂ）に示すように、コーナーを丸めた四角形となっている。
【００５０】
このような幅広型のＬＥＤ灯具の利点等については後述する（実施の形態６参照）。
【００５１】
上述したとおり、本実施の形態に係るＬＥＤ照明器具１００は、ＬＥＤ素子１４５を備えたＬＥＤ灯具１４０と、少なくともＬＥＤ灯具１４０に電力を供給するともにＬＥＤ灯具１４０を保持する保持部（右保持部１３０）を有する保持具１１０とを備え、ＬＥＤ灯具１４０と保持具１１０の接続状態は、ＬＥＤ灯具１４０の両端部（左端部１５０、右端部としてのプラグ１６０）の保持箇所（左端部１５０、プラグ１６０）が保持具１１０の保持部（左保持部１２０、右保持部１３０）に保持された保持状態、ＬＥＤ灯具１４０の一方の端部（例えば、左端部１５０）の保持箇所（左端部１５０）が保持具１１０の保持部（左保持部１２０）に保持された半保持状態、ＬＥＤ灯具１４０と保持具１１０が完全に分離された分離状態をとることが可能である。
【００５２】
また、本実施の形態に係るＬＥＤ照明器具１００では、ＬＥＤ灯具１４０は、半保持状態において、自重で保持部（例えば、左保持部１２０、左保持体１２０ｊ）から垂れ下がるように支持されることが可能である。
【００５３】
また、本実施の形態に係るＬＥＤ照明器具１００では、ＬＥＤ灯具１４０は、一方の端部（例えば、右端部）の保持箇所（プラグ１６０）に電源接続部（プラグ１６０）を有し、他方の端部（左端部１５０）の保持箇所（左端部１５０）には電源接続部を備えない。
【００５４】
また、本実施の形態に係るＬＥＤ照明器具１００では、電源接続部（プラグ１６０）は、商用交流電源用コンセントと互換性のある少なくとも２本の接続端子であり、接続端子から商用交流電力が直接ＬＥＤ灯具１４０に供給される。
【００５５】
また、本実施の形態に係るＬＥＤ照明器具１００では、電源接続部（プラグ１６０）は、保持具１１０の保持部（右保持部１３０）に対する保持箇所を兼ねる。
【００５６】
また、本実施の形態に係るＬＥＤ照明器具１００では、ＬＥＤ灯具１４０は、ＬＥＤ素子１４５を駆動する駆動回路１４７を含む。
【００５７】
また、本実施の形態に係るＬＥＤ照明器具１００では、駆動回路１４７は、商用交流電力を、時間平均した場合に直流成分を有する電流に変換する。
【００５８】
＜実施の形態２＞
実施の形態２のＬＥＤ照明器具２００を、図７から図１１に基づいて説明する。図中の２００番台の部材は特に説明がない場合は下二桁が同じ１００番台の部材に対応している。
【００５９】
つまり、ＬＥＤ照明器具２００は、保持具２１０、保持具天板２１１、左保持部２２０、右保持部２３０、プラグ挿入口２３６を備える。また、ＬＥＤ灯具２４０は、左補強部２４１、右補強部２４２、ＬＥＤ素子２４５、ベース部２４６、カバー２４８、左端部２５０、プラグ２６０を備える。その他、基本的な構成は、実施の形態１と同様であるので、主要な構成について主に説明する。
【００６０】
図７は、ＬＥＤ照明器具２００の保持状態を示す正面図である。ＬＥＤ灯具２４０は、ベース部２４６にＬＥＤ素子２４５が配列され、カバー２４８に覆われている。ＬＥＤ灯具２４０の左右に左補強部２４１、右補強部２４２がある。左補強部２４１の左側にある板状の保持箇所である左端部２５０が、左保持部２２０と保持具天板２１１の隙間に取り付けられる。
【００６１】
右補強部２４２の右側には電力供給用のプラグ２６０があり、右保持部２３０に取り付けられる保持箇所を兼ねている。左補強部２４１が左保持バネ２２１によって、また右補強部２４２が右保持バネ２３１によって保持具天板２１１に圧着されるように取り付けられている。ＬＥＤ灯具２４０のＬＥＤ素子搭載部であるベース部２４６の裏面が保持具天板２１１に接触していることにより、ＬＥＤ灯具２４０内で発生した熱が保持具天板２１１に効率よく伝導（放熱）される。
【００６２】
図８は、ＬＥＤ照明器具２００の保持状態の下面図である。ＬＥＤ灯具２４０は、左保持バネ２２１、右保持バネ２３１の開口部から矢印２９１、２９２の方向に差し込まれる。この際、右端部の保持箇所であるプラグ２６０が右保持部２３０内のプラグ挿入口２３６に入れられる。なお、右補強部２４２とプラグ２６０の間には、プラグ支持部２４３が配置されている。
【００６３】
図９（ａ）は、ＬＥＤ照明器具２００でのＬＥＤ灯具２４０の保持状態を左保持バネ２２１部分について示す左側面図である。ＬＥＤ灯具２４０は、左補強部２４１が左保持バネ２２１に保持されるように、左保持バネ２２１の開口部から矢印２９１の方向に差し込まれる。また、図９（ｂ）は、ＬＥＤ灯具２４０の保持状態を右保持部２３０部分について示す右側面図である。ＬＥＤ灯具２４０は、右補強部２４２が右保持バネ２３１に保持されるように、右保持バネ２３１の開口部から矢印２９２の方向に差し込まれる。つまり、右補強部２４２を矢印２９２の方向にスライドさせることによって、プラグ２６０は、右保持部２３０のプラグ挿入口２３６に差し込まれる。なお、理解を容易にするため、ＬＥＤ灯具２４０の挿入方向を一致させるように各側面図を模式的に記載している（以下同様である）。
【００６４】
左保持バネ２２１、右保持バネ２３１の働きにより、ＬＥＤ灯具２４０は保持具天板２１１に圧着される。なお、ＬＥＤ灯具の断面形状は、半円形状に限らず、四角形などであってもよい（図１０参照）。また、その下面（床面に対向する側）が複数の斜面で形成された形状であってもよい。
【００６５】
実施の形態２の変形例として、断面形状が四角形のＬＥＤ灯具２４０Ｂを用いた場合の保持状態を、図９（ａ）、（ｂ）に対応させた側面図として図１０（ａ），（ｂ）に示す。ＬＥＤ灯具２４０Ｂの形状に合わせて左補強部２４１Ｂ、右補強部２４２Ｂ、左保持バネ２２１Ｂ、右保持バネ２３１Ｂの形状は、図９の場合に比べて若干変化させている。
【００６６】
図１１は、ＬＥＤ照明器具２００（ＬＥＤ灯具２４０）の半保持状態を示す説明図である。ＬＥＤ灯具２４０の保持箇所である左端部２５０が、左保持部２２０と保持具天板２１１の隙間に入れられている。左端部２５０は曲げられるようになっているため、この半保持状態において作業者２８０がＬＥＤ灯具２４０の取り付け、清掃、取り外しを行うことが容易である。なお、左端部２５０は曲げられず、保持部２２０を回転させる構成とすることによっても同様の半保持状態を実現することができる。
【００６７】
上述したとおり、本実施の形態に係るＬＥＤ照明器具２００では、ＬＥＤ灯具２４０のＬＥＤ素子搭載部（ベース部２４６）の裏面が、保持具２１０の保持具天板２１１に接触している。
【００６８】
＜実施の形態３＞
実施の形態３のＬＥＤ照明器具３００を、図１２から図１６に基づいて説明する。図中の３００番台の部材は特に説明がない場合は下二桁が同じ１００番台の部材に対応している。
【００６９】
つまり、ＬＥＤ照明器具３００は、保持具３１０、保持具天板３１１、左保持部３２０、左保持体３２０ｊ、左保持留め具３２１、３２２、右保持部３３０、プラグ挿入口３３６、リリースボタン３３７を備える。また、ＬＥＤ灯具３４０は、左補強部３４１、右補強部３４２、ＬＥＤ素子３４５、ベース部３４６、駆動回路３４７、カバー３４８、左端部３５０、プラグ３６０を備える。その他、基本的な構成は、実施の形態１と同様であるので、主要な構成について主に説明する。
【００７０】
実施の形態３のＬＥＤ照明器具３００は、保持状態の正面図である図１２及び下面図１３に示すように、ＬＥＤ灯具３４０の右端部に、図１２の図中で上向き（保持具天板３１１方向）にプラグ３６０が設けられている。プラグ３６０は保持箇所を兼ねており、プラグ支持部３４３を介してＬＥＤ灯具３４０の右補強部３４２につながっている。左保持部３２０を構成する左保持体３２０ｊ、左保持留め具３２１、３２２の形状は左保持体１２０ｊ、左保持留め具１２１、１２２と同じであり、また左端部３５０の形状は左端部１５０の形状と同じである。なお、ＬＥＤ灯具３４０は、四角柱接面３７０（図１４参照）に対応させた範囲に収容される外形とされている。
【００７１】
保持状態における右保持部３３０などの右側面から見た状態を図１４に示す。保持具天板３１１に固定された右保持部３３０中のプラグ挿入口３３６にプラグ３６０が差し込まれ、そのスプリング機能によりＬＥＤ灯具３４０が保持されている。
【００７２】
本実施の形態では、プラグ３６０がＬＥＤ灯具３４０の外径に外接する四角柱接面３７０の内側に収まるようになっている。プラグ３６０については、その長さが長いため、ＬＥＤ灯具３４０の外径よりややはみ出しているが、外径に外接する四角柱接面３７０の内側に収まるため、ＬＥＤ灯具３４０はその外径に外接する四角柱接面３７０に対応させた箱に収納して保管することができる。そのため、保管スペースを少なくすることができる。
【００７３】
図１５は、ＬＥＤ灯具３４０の取り付けを示す説明図である。作業者３８０は、左端部３５０を保持具３２１に当てて保持具３２１を押し込み、左端部３５０を左保持体３２０ｊに掛ける。次に、作業棒３８１（作業棒先端３８２）によってＬＥＤ灯具３４０を支え、プラグ３６０を右保持部３３０のプラグ挿入口３３６に差し込む。プラグ挿入口３３６にプラグ３６０が十分入ったときに、プラグは固定され、リリースボタン３３７を押さないと取り外せないようになっている。
【００７４】
実施の形態３の変形例であるＬＥＤ灯具３４０Ｂの正面図を図１６（ａ）に、右側面図を図１６（ｂ）に示す。プラグ支持部３４３Ｂに接続された可動部３４４Ｂに固定されたプラグ３６０Ｂは、可動部３４４Ｂが回転することにより回転可能となっており、保管時には実線で示す位置、取り付け時には破線で示す位置になる。そのため、保管時にはプラグ３６０ＢはＬＥＤ灯具３４０の外径に外接する四角柱接面３７０の内側に納まる。従ってＬＥＤ灯具を外して保管する際、プラグの部分がかさばらず、保管スペースを少なくできる。
【００７５】
上述したとおり、本実施の形態に係るＬＥＤ照明器具３００では、ＬＥＤ灯具３４０は、保管時において、その外形に外接する仮想四角柱を延長した部分（四角柱接面３７０）の内部に収まる形状とすることが可能である。
【００７６】
＜実施の形態４＞
実施の形態４のＬＥＤ照明器具４００を、図１７から図１９に基づいて説明する。図中の４００番台の部材は特に説明がない場合は下二桁が同じ１００番台の部材に対応している。
【００７７】
つまり、ＬＥＤ照明器具４００は、保持具４１０、保持具天板４１１、左保持部４２０、右保持部４３０、プラグ挿入口４３６を備える。また、ＬＥＤ灯具４４０は、左補強部４４１、右補強部４４２、ＬＥＤ素子４４５、ベース部４４６、カバー４４８、プラグ４６０を備える。その他、基本的な構成は、実施の形態１と同様であるので、主要な構成について主に説明する。
【００７８】
実施の形態４のＬＥＤ照明器具４００は、電源接続部を兼ねた右保持部４３０が回転可能となっている。右保持部４３０が回転可能となっていることから、図１７（ａ）に示すように、ＬＥＤ灯具４４０は、右保持部４３０、右保持回転部４３１、右保持固定部４３２によって半保持状態を取ることが可能である。
【００７９】
つまり、右保持部４３０は、右保持固定部４３２によって支持された右保持回転部４３１を介して回転可能な構成としてある。したがって、ＬＥＤ灯具４４０は、保持具天板４１１に固定された右保持固定部４３２に対して、右保持回転部４３１および右保持部４３０を支点にして垂直方向に吊り下げられる。
【００８０】
図１７（ａ）のように、作業者４８０は、ＬＥＤ灯具４４０を縦に保持して、プラグ４６０を右保持部４３０に差し込む。プラグ４６０は保持箇所を兼ねており、右保持部４３０内のプラグ挿入口４３６の接触摩擦によって軽く保持されているが、ＬＥＤ灯具４４０の自重を支えるほど強くは固定されていない。
【００８１】
右保持部４３０は、模式的に示す右側面図である図１８に示すように、右保持部４３０中のプラグ挿入口４３６にプラグ４６０が差し込まれる。右保持部４３０は右保持回転部４３１、右保持固定部４３２を介して保持具天板４１１に連結されている。
【００８２】
次に、図１７（ｂ）に示すように、ＬＥＤ灯具４４０の保持箇所である左補強部４４１を、保持具４１０の左保持部４２０に入れる。左保持部４２０の断面形状は図１９（ａ）に示すようになっており、ＬＥＤ灯具４４０をスプリング力によって保持する。左保持部４２０はＬＥＤ灯具４４０の挿入時には図１９（ｂ）に示すようにスプリング力によって開く。
【００８３】
以上の取り付け操作により、図１７（ｃ）に示すように、ＬＥＤ灯具４４０が保持具４１０に保持される。
【００８４】
本実施の形態においては、図１７（ａ）の半保持状態において、ＬＥＤ灯具４４０の取り付け、清掃、交換を容易に行うことができる。
【００８５】
上述したとおり、本実施の形態に係るＬＥＤ照明器具４００では、保持部（右保持部４３０）は、保持具４１０の保持具天板４１１に対して回転可能である。
【００８６】
＜実施の形態５＞
実施の形態５のＬＥＤ照明器具５００を、図２０および図２１に基づいて説明する。図中の５００番台の部材は特に説明がない場合は下二桁が同じ１００番台の部材に対応している。
【００８７】
つまり、ＬＥＤ照明器具５００は、保持具５１０、保持具天板５１１、左保持部５２０、５２１、右保持部５３０を備える。また、ＬＥＤ灯具５４０は、左補強部５４１、右補強部５４２、ＬＥＤ素子５４５、ベース部５４６、カバー５４８、左端部５５０、プラグ５６０を備える。その他、基本的な構成は、実施の形態１と同様であるので、主要な構成について主に説明する。
【００８８】
具体的には、ＬＥＤ照明器具５００は、実施の形態４の右保持部４３０及び左保持部４２０に対して変形がなされた左保持部５２０、５２１、右保持部５３０を備えている。また、左保持部５２０、５２１には、左端部５５０を保持するための突起５２２、５２３が配置してある。
【００８９】
ＬＥＤ灯具５４０を保持具５１０に取り付け中の半保持状態を図２０（ａ）に示す。作業者５８０は、ＬＥＤ灯具５４０を縦に保持して、保持箇所を兼ねているプラグ５６０を右保持部５３０に差し込む。この状態で作業者５８０が手を離しても、ＬＥＤ灯具５４０は保持具５１０に対して半保持状態となっている。
【００９０】
右側面図である図２１に示すように、右保持部５３０は、保持具天板５１１に固定された支持部５３１に回転軸５３２を介して連結されている。つまり、右保持部５３０は、保持具５１０の保持具天板５１１に対して回転可能となっている。
【００９１】
回転軸５３２は、右保持部５３０の中心近くに配置してあるため、図２０（ａ）に示す取り付け時に右側に大きくはみ出すことが少なく、右保持部５３０、回転軸５３２、支持部５３１が配置された領域のスペースが少なくて済む。また、実施の形態４に比べて、ＬＥＤ灯具５４０と保持具天板５１１との距離を小さくでき、接触させることもできる。
【００９２】
図２０（ｂ）は、ＬＥＤ灯具５４０の保持箇所である左端部５５０を左保持部５２０、５２１の間に挿入して突起５２２、５２３で保持する直前の状態を示す正面図である。左保持部５２０、５２１にはそれぞれ突起５２２、５２３があり、この突起は左保持部５２０、５２１の内部に構成したスプリング力によって互いに接触している。下方向（床面側）から左端部５５０を左保持部５２０と左保持部５２１の間に押し込むことにより、左端部５５０が突起５２２、５２３の間を通って嵌挿される。
【００９３】
図２０（ｃ）は保持状態を示す正面図である。左保持部５２０はスプリング力によって互いに接触している突起５２２、５２３の上に保持されている。なお、左保持部５２０と突起５２２、左保持部５２１と突起５２３はそれぞれ別部材として説明したが、一体として例えば左保持部５２０（５２１）全体をバネ材料で構成し、突起５２２（５２３）に相当するスプリング力を有する形状としてもよい。
【００９４】
上述したとおり、本実施の形態に係るＬＥＤ照明器具５００では、保持部（右保持部５３０）は、保持具５１０の保持具天板５１１に対して回転可能である。
【００９５】
＜実施の形態６＞
実施の形態６のＬＥＤ照明器具６００を、図２２から図２５に基づいて説明する。図中の６００番台の部材は特に説明がない場合は下二桁が同じ１００番台の部材に対応している。
【００９６】
つまり、ＬＥＤ照明器具６００は、保持具６１０、保持具天板６１１、左保持部６２０、右保持部６３０、プラグ挿入口６３６を備える。また、ＬＥＤ灯具６４０は、左補強部６４１、右補強部６４２、ＬＥＤ素子６４５、ベース部６４６、カバー６４８、左端部６５０、プラグ６６０を備える。その他、基本的な構成は、実施の形態１と同様であるので、主要な構成について主に説明する。
【００９７】
図２２は実施の形態６のＬＥＤ照明器具６００の正面図である。保持具６１０の保持具天板６１１にＬＥＤ灯具６４０が接触している。ＬＥＤ灯具６４０は幅広のものである。ＬＥＤ灯具６４０の左右の辺の長さ（図２２の紙面の手前から背面方向での長さ）の方が左右方向の長さ（図２２の紙面の左右方向の長さ）より長い場合にも、左右の辺を端部と表記する。
【００９８】
（左保持部）
保持具６１０の左保持部６２０は、ループ状になっており、ＬＥＤ灯具６４０のフック状の左端部６５０が掛かるようになっている。従って、左端部６５０だけを掛けた状態で、半保持状態となる。
【００９９】
下面図である図２３に示すように、左端部６５０は２つの部分に分かれており、幅方向の２箇所をそれぞれ保持する。
【０１００】
（右保持部）
右保持部６３０は、保持具天板６１１からＬＥＤ灯具６４０側に突出せずに、天井側に配置されるように保持具天板６１１の上面側に突出している。プラグ６６０は保持箇所を兼ねており、プラグ６６０をプラグ挿入口６３６（図２３参照）へ差し込むことにより、ＬＥＤ灯具６４０が保持される。
【０１０１】
下面図である図２３に示すように、プラグ６６０は、右端部の中央近傍を保持するように配置されている。
【０１０２】
（ＬＥＤ灯具）
保持具天板６１１は、例えば鉄を主成分とする磁性体で構成されており、ＬＥＤ灯具６４０に配置された磁石６４９が保持具天板６１１に吸着する。そのため、磁石６４９に吸着する保持具天板６１１自体が保持部６１０の主要な機能を備えている。
【０１０３】
つまり、ＬＥＤ灯具６４０の裏面（ベース部６４６）側、特にＬＥＤ素子６４５が搭載された素子搭載裏面領域６９０を含む裏面（ベース部６４６）が、保持具天板６１１に良好に接触している。したがって、ＬＥＤ素子６４５で発生した熱が良好に保持具天板６１１に伝わる。
【０１０４】
蛍光灯の場合には磁力によって放電が乱されるため、磁石の使用にあたって蛍光管部分から離すなど細心の注意を必要とするのに対し、本実施の形態においては、磁石６４９を用いてもＬＥＤ照明器具６００としての動作に影響は生じない。ただし、ＬＥＤ灯具６４０中にトランスやコイルなどの部品を用いる場合には、それらを磁石から離すことが望ましい。
【０１０５】
なお、磁石６４９の吸着力は、作業者が外側から容易にＬＥＤ灯具６４０の取り外しができる程度に設定されている。この吸着力をさらに強くし、保持具天板６１１から磁石６４９を離すように働かせる機構を設け、ＬＥＤ灯具６４０の取り外し時に磁石６４９の力を弱めるようにしてもよい。
【０１０６】
ＬＥＤ灯具６４０の下面図を図２３に示す。ＬＥＤ灯具６４０は蛍光灯類似の長尺のＬＥＤ灯具（例えば、ＬＥＤ灯具１４０）に比べて幅広であるので、長尺のＬＥＤ灯具１４０と同じ輝度を得る場合、面照度が低くまぶしさを抑えた目にやさしい光源になる。また、面積が大きいため、発熱が広い面積に分散し、温度上昇を抑えることができる。
【０１０７】
ＬＥＤ灯具６４０の右側面図を図２４に示す。プラグ６６０は、プラグ支持部６４３に連結された可動部６４４Ｂと共に回転可能となっており、ＬＥＤ灯具６４０を保管する状態では、プラグ６６０は、上方向（保持具天板６１１側）に突出しないでＬＥＤ灯具６４０の四角柱接面３７０（図２２参照）の範囲内に収容可能となっている。
【０１０８】
なお、図２４中で、ＬＥＤ灯具６４０に対して使用されていない右保持部６３０Ｂ、６３０Ｃについては次に述べる。
【０１０９】
（同じ保持具を用いて他のＬＥＤ灯具を適用した例）
図２５は、保持具６１０に、ＬＥＤ灯具６４０よりも幅狭なＬＥＤ灯具６４０Ｂを３個取り付けた例である。この場合には、図２４で使われなかった右保持部６３０Ｂ、６３０Ｃが用いられる。この保持具６１０を用いれば、幅狭なＬＥＤ灯具６４０Ｂを１個、２個、３個取り付ける場合と幅広なＬＥＤ灯具６４０を取り付ける場合などの使い分けが実現でき、必要な照度に対して柔軟な組合せが可能となる。
【０１１０】
上述したとおり、本実施の形態に係るＬＥＤ照明器具６００では、ＬＥＤ灯具６４０のＬＥＤ素子搭載部（ベース部６４６）の裏面（素子搭載裏面領域６９０）が、保持具６１０の保持具天板６１１に接触している。
【０１１１】
また、本実施の形態に係るＬＥＤ照明器具６００では、ＬＥＤ灯具６４０中のＬＥＤ素子搭載部（ベース部６４６）の裏面が、磁石６４９の吸着力によって保持具天板６１１に接触している。
【０１１２】
＜各実施の形態に対する補足事項＞
各実施の形態において端部とは中央よりも相対的に端に近い部分であって、ＬＥＤ灯具を保持する部分の近傍を指しており、ＬＥＤ灯具の最も端の部分という意味ではない。
【０１１３】
以上の各実施の形態の説明で、右端部のプラグが保持箇所を兼ねる実施例としたが、プラグを保持箇所と別にしてもよい。プラグは日本の商用交流電源で用いられている２本で一対の２本プラグとして説明したが、使用国のプラグ形状であることが好ましく、アース線あるいは３相交流の３本線を含む３本プラグ、４本プラグとしてもよい。
【０１１４】
また、商用交流電源でなくＤＣ電源としてもよいが、その場合の電圧としては、例えば１２Ｖ、１５Ｖ、４８Ｖ、３４０Ｖが好適である。また、従来の蛍光灯用ピンと接続互換性のあるピンであってもよい（ピンと接続している蛍光灯用回路は取り除くことが好ましい）。
【０１１５】
また、各実施の形態における右保持部と左保持部は例示であって、一つの実施の形態中に組み合わせて用いる必要はない。また、ＬＥＤ灯具と保持具天板の間が密着する実施の形態と離れている実施の形態があるが、それと右保持部、左保持部の例とは組み合わせて用いる必要はない。
【０１１６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１７】
１００、２００、３００、４００、５００、６００  ＬＥＤ照明器具
１１０、２１０、３１０、４１０、５１０、６１０  保持具
１１１、２１１、３１１、４１１、５１１、６１１  保持具天板
１２０、２２０、３２０、４２０、５２０、５２１、６２０  左保持部（保持部）
１２０ｊ、３２０ｊ  左保持体（保持部）
１２１、１２２、３２１、３２２  左保持留め具
１３０、２３０、３３０、４３０、５３０、６３０、６３０Ｂ、６３０Ｃ  右保持部（保持部）
１３６、２３６、３３６、４３６、６３６  プラグ挿入口
１３７３３７  リリースボタン
１４０、２４０、２４０Ｂ、３４０、３４０Ｂ、４４０、５４０、６４０、６４０Ｂ  ＬＥＤ灯具
１４１、１４１Ｂ、２４１、２４１Ｂ、３４１、４４１、５４１、６４１  左補強部（端部又は保持箇所）
１４２、１４２Ｂ、２４２、２４２Ｂ、３４２、４４２、５４２、６４２  右補強部（端部又は保持箇所）
１４５、２４５、３４５、４４５、５４５、６４５  ＬＥＤ素子
１４６、２４６、３４６、４４６、５４６、６４６  ベース部（ＬＥＤ素子搭載部）
１４７、３４７  駆動回路
１４８、２４８、３４８、４４８、５４８、６４８  カバー
１５０、２５０、５５０  左端部（端部又は保持箇所）
１６０、２６０、３６０、３６０Ｂ、４６０、５６０、６６０  プラグ（端部又は保持箇所、電源接続部）
１７０  外径接線
１８０、２８０、３８０、４８０、５８０  作業者
１８２、３８２  作業棒先端
２２１、２２１Ｂ  左保持バネ
２３１、２３１Ｂ  右保持バネ
２４３、３４３、３４３Ｂ、６４３  プラグ支持部
３４４Ｂ、６４４Ｂ  可動部
３７０  四角柱接面（仮想四角柱）
４３１  右保持回転部
４３２  右保持固定部
５２２、５２３  突起（保持部）
５３１  支持部
５３２  回転軸
６４９  磁石
６９０  素子搭載裏面領域（ＬＥＤ素子搭載部の裏面）
【図１】
2010170742.tif 000003
【図２】
2010170742.tif 000004
【図３】
2010170742.tif 000005
【図４】
2010170742.tif 000006
【図５】
2010170742.tif 000007
【図６】
2010170742.tif 000008
【図７】
2010170742.tif 000009
【図８】
2010170742.tif 000010
【図９】
2010170742.tif 000011
【図１０】
2010170742.tif 000012
【図１１】
2010170742.tif 000013
【図１２】
2010170742.tif 000014
【図１３】
2010170742.tif 000015
【図１４】
2010170742.tif 000016
【図１５】
2010170742.tif 000017
【図１６】
2010170742.tif 000018
【図１７】
2010170742.tif 000019
【図１８】
2010170742.tif 000020
【図１９】
2010170742.tif 000021
【図２０】
2010170742.tif 000022
【図２１】
2010170742.tif 000023
【図２２】
2010170742.tif 000024
【図２３】
2010170742.tif 000025
【図２４】
2010170742.tif 000026
【図２５】
2010170742.tif 000027